(57)【要約】【課題】  従来のランプ傘を用いることができ、蛍光灯照明装置の代替となるペンダント型のＬＥＤ照明装置を提供する。【解決手段】  本発明に係るペンダント型ＬＥＤ照明装置は、複数のＬＥＤモジュールが搭載されたＬＥＤ基板と、このＬＥＤ基板を支持する天板と、上記ＬＥＤモジュールへの電源供給を制御する電源制御部とを備えたＬＥＤ照明ユニットと、上記ＬＥＤ照明ユニットを収納する透光カバーと、上記電源制御部に接続され上記天板の背面中央から延設された電源コードと、上記透光カバーに収納されたＬＥＤ照明ユニットを覆うランプ傘を保持するために、上記電源コードを中心として天板の背面側に設けられる傘アダプタとを備えてなるものである。【選択図】  図１
2014053109.tif 000002
【特許請求の範囲】
【請求項１】
複数のＬＥＤモジュールが搭載されたＬＥＤ基板と、このＬＥＤ基板を支持する天板と、上記ＬＥＤモジュールへの電源供給を制御する電源制御部とを備えたＬＥＤ照明ユニットと、
上記ＬＥＤ照明ユニットを収納する透光カバーと、
上記電源制御部に接続され上記天板の背面中央から延設された電源コードと、
上記透光カバーに収納されたＬＥＤ照明ユニットを覆うランプ傘を保持するために、上記電源コードを中心として天板の背面側に設けられる傘アダプタと
を備えてなるペンダント型ＬＥＤ照明装置。
【請求項２】
上記ＬＥＤ照明ユニットを構成するＬＥＤ基板は、複数のＬＥＤモジュールが前面側に搭載されるとともに、前面側から背面側に亘り光を通過させることができるように透光性部材により形成されるか又は光透過部を備えて形成され、
上記ＬＥＤ基板は、前面側に搭載されたＬＥＤモジュールから発光され上記透光カバーにより反射された光でＬＥＤ基板の背面側を照らしてなる請求項１記載のペンダント型ＬＥＤ照明装置。
【請求項３】
上記天板の外周部に複数の切り欠き穴を設け、この切り欠き穴を覆う背面側透光カバーを備えるとともに、
上記ＬＥＤ基板には、上記切り欠き穴に対向する上側位置にもＬＥＤモジュールを搭載してなる請求項１に記載のペンダント型ＬＥＤ照明装置。
【請求項４】
上記ＬＥＤ基板に搭載されるＬＥＤモジュールは、その発光面がそれぞれ複数の異なる方向に向けられてなる請求項１乃至３のいずれか１の請求項に記載のペンダント型ＬＥＤ照明装置。
【請求項５】
上記傘アダプタは、上記ＬＥＤ照明ユニットとは別体に構成され、ランプ傘に設けられる取付孔の大きさに応じて複数の大きさの傘アダプタを上記天板の背面側に取付け可能としてなる請求項１乃至４のいずれか１の請求項に記載のペンダント型ＬＥＤ照明装置。
【請求項６】
上記傘アダプタは、上記ＬＥＤ照明ユニットとは別体に構成され、ランプ傘に設けられる取付孔の各種の大きさに応じることができるように、傘取り付け部側が傾斜面状又は多段形状になされている請求項１乃至４のいずれか１の請求項に記載のペンダント型ＬＥＤ照明装置。
【請求項７】
上記傘アダプタが保持するランプ傘は、既存のランプ傘を用いてなる請求項１乃至６のいずれか１の請求項に記載のペンダント型ＬＥＤ照明装置。
【発明の詳細な説明】
【技術分野】
【０００１】
本発明は、発光ダイオード等の半導体発光素子（ＬＥＤ）を光源とした照明装置に関する。
【背景技術】
【０００２】
一般用蛍光灯照明器具に用いられる蛍光ランプは寿命が短い、消費電力が大きい等の理由から、その代替として、以下の特許文献に示されるような一般用蛍光灯照明器具にそのまま用いられる蛍光灯型のＬＥＤ照明ランプが提案されている。
【０００３】
ここで一般用蛍光灯照明器具とは、主に屋内等の一般照明に広く用いられる照明器具であって、例えば、商用１００ｖ又は２００ｖ電源を用い、ＪＩＳ  Ｃ７６１７に定められた直管形蛍光ランプ又はＪＩＳ  Ｃ７６１８に定められた環形蛍光ランプが取り付けられる照明器具をいう。
【先行技術文献】
【特許文献】
【０００４】
【特許文献１】特開２００９−２７２２６３
【特許文献２】実用新案登録第３１６７６１８号
【発明の開示】
【発明が解決しようとする課題】
【０００５】
しかしながら、一般用蛍光灯照明器具にそのまま用いられる蛍光灯型のＬＥＤ照明ランプは、従来の蛍光灯の形状に合わせた大きさとし、接合部の形状も従来の蛍光灯照明器具のソケット部に合わせた作りとしなければならないため、特に環形の蛍光灯型のＬＥＤ照明ランプにあっては、ＬＥＤモジュールの配置やその回路等の構成が複雑となり価格が高くなる傾向にある。
【０００６】
また、従来の一般用蛍光灯照明器具に上記ＬＥＤ照明ランプを取り付けた場合、従来の蛍光灯照明装置には、蛍光ランプの光を安定させるためのインバータ等の各種の安定装置等が備えられているため、これがＬＥＤ照明ランプの発光に悪影響を与え、発光が安定しない。
【０００７】
さらに、上記の蛍光灯型のＬＥＤ照明ランプは一般に発光面における光の拡散領域が狭く、光の進行方向が限定されるため、特に天井から吊り下げるタイプのペンダント型の照明器具にあっては、今までの蛍光ランプに代替して上記ＬＥＤ照明ランプを取り付けた場合には、発光面とは逆となる天井側に光を向けることができず、天井側が暗くなってしまういという問題がある。
【０００８】
さらにまた、ペンダント型の蛍光灯照明装置にあっては、従来から色々な意匠のランプ傘が提供されており、蛍光灯照明装置から、ＬＥＤ照明装置に代替するにあたってもこの従来のランプ傘をそのまま用いたいとの要望がある。
【０００９】
そこで、本発明は、上記課題を解決すべく提案されたものであって、蛍光灯照明装置の代替となるものであって、発光が安定し、天井側も十分に明るくすることができ、さらに従来のランプ傘を用いることができるペンダント型のＬＥＤ照明装置を安価に提供することを目的とする。
【課題を解決するための手段】
【００１０】
本発明に係るペンダント型ＬＥＤ照明装置は、複数のＬＥＤモジュールが搭載されたＬＥＤ基板とこのＬＥＤ基板を支持する天板と上記ＬＥＤモジュールへの電源供給を制御する電源制御部とを備えたＬＥＤ照明ユニットと、上記ＬＥＤ照明ユニットを収納する透光カバーと、上記電源制御部に接続され上記天板の背面中央から延設された電源コードと、上記透光カバーに収納されたＬＥＤ照明ユニットを覆うランプ傘を保持するために、上記電源コードを中心として天板の背面側に設けられる傘アダプタとを備えてなるものである。
【００１１】
本発明において上記ＬＥＤ照明ユニットを構成するＬＥＤ基板は、複数のＬＥＤモジュールが前面側に搭載されるとともに、前面側から背面側に亘り光を通過させることができるように透光性部材により形成されるか又は光透過部を備えて形成されるようにしてもよい。
【００１２】
そして、上記ＬＥＤ基板は、前面側に搭載されたＬＥＤモジュールから発光され上記透光カバーにより反射された光でＬＥＤ基板の背面側を照らすようにしてもよい。
【００１３】
本発明は、上記天板の外周部に複数の切り欠き穴を設け、この切り欠き穴を覆う背面側透光カバーを備えるとともに、上記ＬＥＤ基板には、上記切り欠き穴に対向する上側位置にもＬＥＤモジュールを搭載しても良い。
【００１４】
上記基板に搭載されるＬＥＤモジュールは、その発光面がそれぞれ複数の異なる方向に向けられてなるものを用いることができる。
【００１５】
ここで、ＬＥＤモジュールの発光面をそれぞれ異なる方向に向ける具体的手段としては、ＬＥＤモジュール自体の発光面の角度を可変する方法がある。
【００１６】
また、他の手段としては、上記ＬＥＤ基板の外周部に、この基板平面と異なる角度に第２の基板を設け、この第２の基板にＬＥＤモジュールを搭載することにより、ＬＥＤモジュールの発光面の角度を可変し、発光方向を異ならせるようにしてもよい。
【００１７】
次に、上記傘アダプタは、上記ＬＥＤ照明ユニットとは別体に構成され、ランプ傘に設けられる取付孔の大きさに応じて複数の大きさの傘アダプタを上記天板の背面側に取付け可能とすることもできる。
【００１８】
一方、上記傘アダプタは、上記ＬＥＤ照明ユニットとは別体に構成され、ランプ傘に設けられる取付孔の各種の大きさに応じることができるように、傘取り付け部側を傾斜面状又は多段形状としてもよい。
【００１９】
なお、上記傘アダプタが保持するランプ傘は、既存のランプ傘を用いてもよい。
【発明の効果】
【００２０】
本発明は、上述のごとき構成となすことにより、蛍光形照明装置の代替品として構成が簡単で安価なペンダント型のＬＥＤ照明装置を提供することができる。
【００２１】
本発明は、基板に対してＬＥＤモジュールを上述の如く搭載することにより、発光する光の拡散方向を拡大でき、天井側も明るく照らすことができる。
【００２２】
さらに、本発明は、傘アダプタの構成を上述のようにすることにより、既存のランプ傘の取り付けを可能となすことができる。
【図面の簡単な説明】
【００２３】
【図１】本発明の第１の実施の形態を示す分解斜視図である。
【図２】本発明の第１の実施の形態を示す側断面図である。
【図３】本発明の第１の実施の形態において傘アダプタの変形例を示す側断面図である。
【図４】本発明の第２の実施の形態を示す分解斜視図である。
【図５】本発明の第２の実施の形態を示す側断面図である。
【図６】本発明の第２の実施の形態に用いられるＬＥＤ照明ユニットを天板側から見た図である。
【図７】ＬＥＤ基板に取り付けられるＬＥＤモジュールの例を示す図である。
【図８】ＬＥＤ基板の外周部に取り付けられる第２の基板の取付状態を示す図である。
【図９】ＬＥＤ基板の外周部に取り付けられる第２の基板の取付状態の他の例を示す図である。
【図１０】ＬＥＤ基板の外周部に取り付けられる第２の基板を分割基板とした場合の取付状態を示すためにＬＥＤ基板は表面側から見た状態を示す図である。
【図１１】上記分割基板へのＬＥＤモジュールの取付状態を示す斜視図である。
【図１２】ＬＥＤ基板に光の通過経路としての開口部を設けた例を示す図である。
【図１３】ＬＥＤ基板を放射状とした例を示す図である。
【図１４】天板における傘アダプタの固定手段を示す要部斜視図である。
【図１５】天板における傘アダプタの他の固定手段を示す要部斜視図である。
【図１６】傘アダプタの一例を示す斜視図である。
【図１７】傘アダプタの他の例を示す側面図である。
【図１８】傘アダプタのさらに他の例としての傘アダプタユニットを示す斜視図である。
【図１９】上記傘アダプタユニットによるランプ傘の取付例を示す斜視図である。
【発明を実施するための最良の形態】
【００２４】
以下、本発明に係るペンダント型のＬＥＤ照明装置について、図面を参照しながら説明する。
【００２５】
先ず第１の実施の形態に係るペンダント型のＬＥＤ照明装置１について、図１及び図２に基づき説明する。
【００２６】
本発明の第１の実施の態様に係るＬＥＤ照明装置１は、図１及び図２に示すように、住宅用の天井から吊り下げるペンダント型であって、発光するＬＥＤ照明ユニット２に対し、ランプ傘３を備えてなるものである。このＬＥＤ照明装置１は、図示しないが天井に設けられる電源供給コンセントとしての引掛シーリングに対し、電源コード４の一端に備えた引掛けキャップ５によって結合され、この電源コード４によりＬＥＤ照明装置１全体が天井に吊り下げ支持されるものである。
【００２７】
そして、上記電源コード４の他端側はＬＥＤ照明ユニット２に接続されている。ＬＥＤ照明ユニット２は、鉄板又は合成樹脂版よりなる天板６と複数のＬＥＤモジュール７が搭載されるＬＥＤ基板８と、ＬＥＤモジュール７への電源供給を制御する電源制御部９とを主たる構成として形成される。
【００２８】
すなわち、ＬＥＤ照明ユニット２は、天板６の前面側に電源制御部９が配置される。この電源制御部９は、放熱器を備えた電源カバー１０によって覆われており、この電源カバー１０の上にＬＥＤ基板８が配置されてなる。
【００２９】
上記天板６はこの第１の実施の態様においては、図１に示すように、略四角形状をなし、その中心部に上記電源コード４の他端側を挿通する貫通孔１１が設けられている。そして、この貫通孔１１を通過した電源コード４は、天板６の前面側に設けられた電源制御部９と接続している。
【００３０】
一方、電源制御部９からは、この電源制御部のＯＮ／ＯＦＦを行うスイッチ紐１２が垂下されている。
【００３１】
電源制御部９の電源カバー１０に取り付けられるＬＥＤ基板８は、上記天板６と略同径の円盤状に形成されたものであって、その前面側に複数のＬＥＤモジュール７が搭載されている。
【００３２】
次に、上記ＬＥＤ照明ユニット２には、このＬＥＤ照明ユニット２の前面を覆う透光カバー１３が取り付けられる。
【００３３】
この透光カバー１３は、図２に示すように有底の円筒状に形成され、上端側に設けられる開口部１４は、円筒の直径よりも小さくなされている。
【００３４】
そして、上記開口部１４において、上記ＬＥＤ照明ユニット２を構成する上記天板６の外周囲がこの透光カバー１３の開口部１４に嵌め合わされることにより、ＬＥＤ照明ユニット２が取り外し可能に取り付けられる。これにより、透光カバー１３によりＬＥＤ照明ユニット２の前面側が覆われ保護される。
【００３５】
なお、この透光カバー１３には下端部略中央に小穴１５が設けられており、上記スイッチ紐１２をこのカバー外部へ垂下できるようになされている。
【００３６】
この透光カバー１３は、乳白色の半透光性を有する合成樹脂材よりなり、図２の矢印に示すように、上記ＬＥＤモジュール７により発光された光を透過するとともに、一部の光を反射して光の進行方向を可変する。
【００３７】
よって、ＬＥＤモジュール７により発光された光は、透光カバー１３内において乱反射し、この透光カバー１３に覆われたＬＥＤ照明ユニット２の前面側だけでなく、背面側へも光を導くことができるようになされている。
【００３８】
特に、上記ＬＥＤ照明ユニット２のＬＥＤ基板８は、上記透光カバー８の全体の面積に比べて充分小さくなされていることから、上記ＬＥＤ基板８から発光された光が透光カバー８に反射されて、透光カバー８の上部への透過率を向上させることができるようになされている。
【００３９】
このため、本実施の形態に係るＬＥＤ照明ユニット２は、天井側へも多くの光を供給することができる。
【００４０】
次に、上記ＬＥＤ照明ユニット２は、天板６の背面側に電源コード４の貫通孔１１を中心として傘アダプタ１６を取り付けるための嵌合凸部１７が設けられている。
【００４１】
一方、傘アダプタ１６は、円筒形をなし、軸芯方向に上記電源コード４を挿通するための貫通孔１８が設けられるとともに、上面側がランプ傘３に設けられる取付孔１９と係合するランプ傘保持部２０となされている。
【００４２】
そして、このＬＥＤ照明ユニット２の嵌合凸部１７に傘アダプタ１６が装着され、この傘アダプタ１６を介して上記ランプ傘３がＬＥＤ照明ユニット２に取り付けられる。
【００４３】
この傘アダプタ１６は、上記ランプ傘３内に上記透光カバー１３で覆われたＬＥＤ照明ユニット２を適切な高さ位置に配置するためのものである。
【００４４】
なお、この傘アダプタ１６の他の例として、図３に示すように、円錐形をなし、頂頭部に上記電源コード４を挿通する貫通孔２１を設けるようにした傘アダプタ２２を用いてもよい。このように傘アダプタ２２を円錐形とすることによっても、ランプ傘の取付孔１９の種種の大きさに対応することができる。
【００４５】
次に、本発明の第２の実施の態様に係るＬＥＤ照明装置３０を、図４乃至図６を用いて説明する。
【００４６】
本発明の第２の実施の態様に係るＬＥＤ照明装置３１は、上記第１の実施の態様において説明したＬＥＤ照明装置１と同様に、住宅用の天井から吊り下げるペンダント型タイプのものである。
【００４７】
すなわち、ＬＥＤ照明装置３０は、発光するＬＥＤ照明ユニット３２に対し、ランプ傘３３を備えてなるものである。このＬＥＤ照明装置３１は、図示しないが天井に設けられる電源供給コンセントとしての引掛シーリングに対し、電源コード３４の一端に備えた引掛けキャップ３５によって結合され、この電源コード３４によりＬＥＤ照明装置３１全体が天井に吊り下げ支持されるものである。
【００４８】
そして、この電源コード３４の他端側はＬＥＤ照明ユニット３２に接続されている。
【００４９】
ＬＥＤ照明ユニット３２は、鉄板又は合成樹脂版よりなる天板３６とＬＥＤ基板３７を主たる構成として形成される。
【００５０】
天板３６は、図５に示すように、前面側において支柱３８を介してＬＥＤ基板３７を支持している。
【００５１】
天板３６はこの第２の実施の態様においては円盤状をなし、その中心部に上記電源コード３４の他端側を挿通する貫通孔３９が設けられている。そして、この貫通孔３９を通過した電源コード３４は、天板３６の前面側に設けられた電源制御部４０と接続している。
【００５２】
なお、この電源制御部４０は天板３６にではなくＬＥＤ基板３７側に一体に設けるようにしてもよい。
【００５３】
また、天板３６は、図６に示すように、その外周囲に亘って複数の切り欠き穴４１が設けられている。この例にあっては、この切り欠き穴４１は、天板３６の外周囲に非連続的な開口部として設けられている。そしてこの切り欠き穴４１を覆うように背面側透光カバー４２が取り付けられる。
【００５４】
この背面側透光カバー４２は、第１の実施の態様と同様に、例えば乳白色の半透光性を有するドーナツ盤状の合成樹脂板よりなる。
【００５５】
さらに、天板３６は、背面側中央部において、上記貫通孔３９を中心として、後述する傘アダプタ５２を嵌合係止するための嵌合凸部６１が設けられている。
【００５６】
次に、上記天板３６の前面側において支柱３８により支持されてなるＬＥＤ基板３７は、上記天板３６よりもやや短い直径をなす円盤状に形成され、このＬＥＤ基板３７にはその前面側に発光体となるＬＥＤモジュール４３が複数取付られている。そして、上記電源制御部４０より供給される電力により各ＬＥＤモジュール４３が発光されるようになされている。
【００５７】
ここで、ＬＥＤ基板３７に取り付けられるＬＥＤモジュール４３は、図７に示すように、基板貼り付け面の反対側において、基板貼り付け面と反対方向に発光面が設けられるもの（タイプＡ）や、基板貼り付け面と直行する面に発光面が設けられるもの（タイプＢ）、又は、基板貼り付け面の反対側において基板貼り付け面に対し傾斜した方向に発光面が設けられるもの（タイプＣ）等、発光方向を適宜可変したＬＥＤモジュール４３を用いるようにしてもよい。このように基板張り付け面に対し種々の発光方向となる発光面を有するＬＥＤモジュール４３をＬＥＤ基板３７に取り付けるようにすることにより、ＬＥＤモジュール４３の発光面からの発光方向を図中の矢印に示す如く拡散することができる。
【００５８】
そして、各ＬＥＤモジュール４３は、例えば操作者によるリモコン操作によって、上記電源制御部４０からの信号に基づき、発光のＯＮ／ＯＦＦのみならず発光の強弱や、白色から暖色への発光色の可変が制御できるようになされている。なお、これら操作を機械的な切替スイッチによりなすようにしてもよいことはもちろんである。また、発光のＯＮ／ＯＦＦのみを制御するようなものであってもよい。
【００５９】
次に、図８又は図９に示すように、上記ＬＥＤ基板３７の外周部に、この基板平面と異なる角度の平面となる第２の基板４４を備えるようにしてもよい。そして、この第２の基板４４にＬＥＤモジュール４５を搭載することにより、ＬＥＤモジュール４５の発光方向を上記ＬＥＤ基板３７に載置されたＬＥＤモジュール４３とは異なる方向に可変してなるようにしてもよい。
【００６０】
ここで、図８は第２の基板４４をＬＥＤ基板３７の背面側に傾けて取り付けた場合であり、図９は第２の基板４４をＬＥＤ基板３７の表面側において垂下するように取り付けた場合であり、それぞれ基板外方側に向かってＬＥＤモジュール４５の発光面を向けるようにしたものである。
【００６１】
このように第２の基板４４を用い、ＬＥＤモジュール４５の発光面を外方側に向けるようにすれば、それぞれ図中の矢印に示すように、このＬＥＤ照明ユニット３２における光の発光方向を拡散することができる。
【００６２】
また、上記第２の基板４４は、図１０に示すように、小さな分割基板４６となし、それぞれにＬＥＤモジュール４７を搭載するようにしてもよい。
【００６３】
このとき分割基板４６に搭載されるＬＥＤモジュール４７のＬＥＤ基板３７への電気的接続は、図１１に示すように、ＬＥＤ基板３７に分割基板４６を接着剤等により接着したのち、搭載されるＬＥＤモジュール４７の側面から延在された電極４８をＬＥＤ基板３７に設けられたランド４９に対しはんだ付け等することにより行うことができる。
【００６４】
また、この第２の実施の態様においては、上記ＬＥＤ基板３７において、上記背面側透光カバー４２と対向する背面側にも上記ＬＥＤモジュール５０が搭載されてなる。
【００６５】
このように、ＬＥＤ基板３７の背面側にもＬＥＤモジュール５０を配置することにより、天井側に向けての発光が可能となり、天井側も明るく照らすことができるようになされている。
【００６６】
次に、上記ＬＥＤ照明ユニット３２は、このＬＥＤ照明ユニット３２の前面を覆う透光カバー５１が取り付けられている。すなわち、上記ＬＥＤ照明ユニット３２を構成する上記天板３６の外周囲において透光カバー５１の外周囲を係止して取り外し可能に取り付けられ、ＬＥＤ照明ユニット３２の前面側を覆い保護している。
【００６７】
この透光カバー５１は上記背面側透光カバー４２と同様に乳白色の半透光性を有する合成樹脂材よりなる。
【００６８】
なお、この第２の実施の態様においては、上記透光カバー５１は上記天板３６に対し取り外し可能としたが、取り外し不能として連結結合したものであってもよい。
【００６９】
次に、上記実施の態様において、円盤状の上記ＬＥＤ基板３７Ａに、図１２に示すような、光の通過経路としての開口部６２を複数適宜設けるようにしてもよい。
【００７０】
このような開口部６２を設けることにより、背面側透光カバー４２及び透光カバー５１に覆われたＬＥＤ照明ユニット３２内において、ＬＥＤモジュール４３から発光され、上記透光カバー５１により反射屈折された光がＬＥＤ基板３７Ａの背面側に通過拡散できることとなり、本ＬＥＤ照明ユニット３２による光の拡散をより拡大することができる。
【００７１】
また、図示しないが、円盤状の上記ＬＥＤ基板３７自体を透光性を有するガラス基板により構成してもよい。
【００７２】
さらに、上記実施の態様においては、ＬＥＤモジュール４３が搭載されるＬＥＤ基板３７を円盤状となしているが、これに限定されることなく、例えば図１３に示すように電源制御部４０を備えた中心部から放射状に配置される複数の板状部６３からなるＬＥＤ基板３７Ｂとしてもよい。このように放射状の板状部６３を有するＬＥＤ基板７Ｂとすると、背面側透光カバー４２及び透光カバー５１に覆われたＬＥＤ照明ユニット３２内において、ＬＥＤ基板３７Ｂの前面側に搭載されたＬＥＤモジュール４３の光を背面側にも拡散することができる。
【００７３】
このようにＬＥＤ基板３７の形状を工夫することにより、さらに本ＬＥＤ照明ユニット３２による光の拡散を拡大することができ、天井側も含め部屋全体を明るく照らすことができる。
【００７４】
また、このようにＬＥＤ基板３７の素材や形状を工夫することにより前面側に配置されたＬＥＤモジュール４３の光をＬＥＤ照明ユニット３２の背面側にも導くことができるようにすれば、ＬＥＤ基板３７の背面側に設けるＬＥＤモジュール５０を省略することができる。
【００７５】
次に、上記ＬＥＤ照明ユニット３２は、傘アダプタ５２を介して上記ランプ傘３３が取り付けられる。
【００７６】
この傘アダプタ５２は、円筒形をなし、軸芯方向に上記電源コード３４を挿通するための貫通孔５３が設けられるとともに、上面側がランプ傘３３に設けられる取付孔５４と係合するランプ傘保持部５５となされている。
【００７７】
そして、上記ＬＥＤ照明ユニット３２の背面側において、上述した嵌合凸部６１に嵌合係止されてこの上記ＬＥＤ照明ユニット３２に取り付けられる。
【００７８】
この傘アダプタ５２は、上記ランプ傘３３内に上記ＬＥＤ照明ユニット３２の高さ位置を調整して適切に配置するためのものである。
【００７９】
ここで、上記傘アダプタ５２は、取り付けるランプ傘３３に設けられる取付孔５４の大きさに応じて各種の大きさの傘アダプタ５２を上記ＬＥＤ照明ユニット３２の天板３６の背面側に取り付け可能とするようにしてもよい。
【００８０】
この場合、上記実施の態様においては、傘アダプタ５２を固定するために、上記ＬＥＤ照明ユニット３２の天板３６に嵌合凸部６１を設けることとしたが、これに限定されることなく、例えば逆に、図１４に示すように、上記天板３６の中央部において、電源コード３４を中心として多段の階段状凹部５６を設け、ランプ傘３３の取付孔５４の大きさに応じて各種の大きさに設定された傘アダプタ５２を選択的に配置できるようにしてもよい。
【００８１】
また、図示しないが、上記ＬＥＤ照明ユニット３２の天板３６の中央部は階段状凹部５６とせず、同心円状に複数の円形スリットを設けた、いわゆる波状としてもよい。
【００８２】
さらに、図１５に示すように、上記天板３６に電源コード３４を中心として同心円状に複数の係合爪５７を設け、一方傘アダプタ５２にこれに係合する係合凹部５９を図１６に示すように設けることにより、各種の大きさの傘アダプタ５２を選択的に配置固定できるようにしてもよい。
【００８３】
一方、上記傘アダプタ５２は、図１６に示すように、取り付けるランプ傘３３に設けられる取付孔４４の各種の大きさに応じることができるように、例えば、傘取り付け側となるランプ傘保持部５５に多段形状部５８や波状部を設けるようにしてもよい。
【００８４】
さらに、図１７に示すように、傘アダプタ５２のランプ傘保持部５５側に円錐状に傾斜した唾部６０を設けるようにすれば、より一層各種の大きさを有すランプ傘３３の取付孔４４の大きさに対応することができる。
【００８５】
このようにランプ傘３３の取付孔５３の大きさに対応した各種の傘アダプタ５２をＬＥＤ照明ユニット３２に取り付け可能とすることにより、ランプ傘３３として各種の取付孔５４を有する既存のランプ傘３３を適用することができる。
【００８６】
この第２の実施の態様においては、上記図１４又は図１５に示すように３種類の大きさの傘アダプタ５２に対応できるものとし、上記図１６に示す当該傘アダプタ５２のランプ傘保持部５５に３段に構成された多段形状部５８を配置することとすれば、合計９種類のランプ傘３３の取付孔５４の大きさに対応することができるようになる。
【００８７】
従って、本第２の実施の態様に示すペンダント型のＬＥＤ照明装置３１は、上述のごとき構成となすことにより、蛍光形照明装置の代替品として、各種の従来のランプ傘３３を用いて、ＬＥＤ照明ユニット３２に全体として置き換えることができる。
【００８８】
なお、上記傘アダプタ５２は、ＬＥＤ照明ユニット３２の天板３６の背面側上に配置することとしているが、これに限定されるものではなく、例えば、図１８に示す、傘アダプタユニット７０を用いてもよい。
【００８９】
すなわち、図１９に示すように、この傘アダプタユニット７０を３つ使い、傘アダプタユニット７０の基端側に設けられた電源コード結合部７１において電源コード３４の所定位置にねじ止め固定して取り付け、この傘アダプタユニット７０の傘保持部７２にランプ傘３３の取付孔５４を係止するようになすことによっても、各種のランプ傘３３の位置固定が可能である。
【００９０】
上記第２の実施の態様において説明した、ＬＥＤ照明装置３１のＬＥＤ照明ユニット３２を構成するＬＥＤ基板の素材や形状を工夫する点や、上記天板３６の背面側に複数のサイズの傘アダプタ５２を取り付け可能とすることは、上記第１の実施の態様におけるＬＥＤ照明装置１にも適用できることは言うまでもない。
【符号の説明】
【００９１】
１，３１  ＬＥＤ照明装置、２，３２  ＬＥＤ照明ユニット、３，３３  ランプ傘、４，３４  電源コード、６，３６  天板、８，３７  ＬＥＤ基板、７，３８  ＬＥＤモジュール、  ９，５０  電源制御部、１３，５１  透光カバー、１６，５２  傘アダプタ
【図１】
2014053109.tif 000003
【図２】
2014053109.tif 000004
【図３】
2014053109.tif 000005
【図４】
2014053109.tif 000006
【図５】
2014053109.tif 000007
【図６】
2014053109.tif 000008
【図７】
2014053109.tif 000009
【図８】
2014053109.tif 000010
【図９】
2014053109.tif 000011
【図１０】
2014053109.tif 000012
【図１１】
2014053109.tif 000013
【図１２】
2014053109.tif 000014
【図１３】
2014053109.tif 000015
【図１４】
2014053109.tif 000016
【図１５】
2014053109.tif 000017
【図１６】
2014053109.tif 000018
【図１７】
2014053109.tif 000019
【図１８】
2014053109.tif 000020
【図１９】
2014053109.tif 000021